(57)【要約】【課題】  簡素な構成で、高精度なガンマ補正を実現させるための基準電圧選択回路、基準電圧発生回路、表示ドライバ、電気光学装置及び電子機器を提供する。【解決手段】  基準電圧選択回路２１０は、第１〜第３の選択用電圧のうちの第１の選択用電圧を、第１及び第２の基準電圧のうちの第１の基準電圧として出力するための第１のスイッチ素子ＳＷ１と、第２の選択用電圧を第１の基準電圧として出力するための第２のスイッチ素子ＳＷ２と、第２の選択用電圧を第２の基準電圧として出力するための第３のスイッチ素子ＳＷ３と、第３の選択用電圧を第２の基準電圧として出力するための第４のスイッチ素子ＳＷ４とを含む。第１〜第４のスイッチ素子ＳＷ１〜ＳＷ４は、少なくとも３ビットのガンマ補正データを用いてオンオフ制御される。【選択図】      図１１
2006227271.tif 000002
【特許請求の範囲】
【請求項１】
電位の高い順又は電位の低い順に並ぶ第１〜第３の選択用電圧のうちの前記第１の選択用電圧を、電位の高い順又は低い順に並ぶ第１及び第２の基準電圧のうちの前記第１の基準電圧として出力するための第１のスイッチ素子と、
前記第２の選択用電圧を前記第１の基準電圧として出力するための第２のスイッチ素子と、
前記第２の選択用電圧を前記第２の基準電圧として出力するための第３のスイッチ素子と、
前記第３の選択用電圧を前記第２の基準電圧として出力するための第４のスイッチ素子とを含み、
前記第１のスイッチ素子が、
各ビットのデータが各選択用電圧に対応付けられ基準電圧として出力するか否かを示す少なくとも３ビットのガンマ補正データの第１のビットのデータによりイネーブルに設定されたことを条件に、前記第１の選択用電圧を前記第１の基準電圧として出力し、
前記第２のスイッチ素子が、
前記ガンマ補正データの第１のビットのデータによりディセーブルに設定され、且つ前記ガンマ補正データの第２のビットのデータによりイネーブルに設定されたことを条件に、前記第２の選択用電圧を前記第１の基準電圧として出力し、
前記第３のスイッチ素子が、
前記ガンマ補正データの第１のビットのデータによりイネーブルに設定され、且つ前記ガンマ補正データの第２のビットのデータによりイネーブルに設定されたことを条件に、前記第２の選択用電圧を前記第２の基準電圧として出力し、
前記第４のスイッチ素子が、
前記ガンマ補正データの第１のビットのデータによりイネーブルに設定され、且つ前記ガンマ補正データの第２のビットのデータによりディセーブルに設定され、且つ前記ガンマ補正データの第３のビットのデータによりイネーブルに設定されたことを条件に、前記第３の選択用電圧を前記第２の基準電圧として出力することを特徴とする基準電圧選択回路。
【請求項２】
請求項１において、
各スイッチセルが、第１〜第４のスイッチ素子の各スイッチ素子を有する第１〜第４のスイッチセルを含み、
前記第１のスイッチセルが、
前記ガンマ補正データの第１のビットのデータによりイネーブルに設定されたとき、前記第２のスイッチセルへのディセーブル信号をアクティブにすると共に、前記第３のスイッチセルへのイネーブル信号をアクティブにし、
前記ガンマ補正データの第１のビットのデータによりディセーブルに設定されたとき、前記第２のスイッチセルへのディセーブル信号を非アクティブにすると共に、前記第３のスイッチセルへのイネーブル信号を非アクティブにし、
前記第２のスイッチセルが、
前記ガンマ補正データの第２のビットのデータによりイネーブルに設定され、且つ前記第１のスイッチセルからのディセーブル信号が非アクティブであることを条件に前記第２の選択用電圧を前記第１の基準電圧として出力すると共に、前記第４のスイッチセルへのイネーブル信号をアクティブにし、
それ以外のときには、前記第４のスイッチセルへのイネーブル信号を非アクティブにし、
前記第３のスイッチセルが、
前記ガンマ補正データの第２のビットのデータによりイネーブルに設定され、且つ前記第１のスイッチセルからのイネーブル信号がアクティブであることを条件に前記第２の選択用電圧を前記第２の基準電圧として出力すると共に、前記第４のスイッチセルへのディセーブル信号をアクティブにし、
それ以外のときには、前記第４のスイッチセルへのディセーブル信号を非アクティブにし、
前記第４のスイッチセルが、
前記ガンマ補正データの第３のビットのデータによりイネーブルに設定され、且つ前記第３のスイッチセルからのディセーブル信号が非アクティブであり、且つ前記第２のスイッチセルからのイネーブル信号がアクティブであることを条件に前記第３の選択用電圧を前記第２の基準電圧として出力することを特徴とする基準電圧選択回路。
【請求項３】
電位の高い順又は電位の低い順に並ぶ第１〜第３の選択用電圧のうちの前記第１の選択用電圧を、電位の高い順又は低い順に並ぶ第１及び第２の基準電圧のうちの前記第１の基準電圧として出力するための第１のスイッチ素子を有する第１のスイッチセルと、
前記第２の選択用電圧を前記第１の基準電圧として出力するための第２のスイッチ素子を有する第２のスイッチセルと、
前記第２の選択用電圧を前記第２の基準電圧として出力するための第３のスイッチ素子を有する第３のスイッチセルと、
前記第３の選択用電圧を前記第２の基準電圧として出力するための第４のスイッチ素子を有する第４のスイッチセルとを含み、
前記第１のスイッチセルは、
各ビットのデータが各選択用電圧に対応付けられ基準電圧として出力するか否かを示す少なくとも３ビットのガンマ補正データの第１のビットのデータが供給されると共に、前記第２及び第３のスイッチセルに対してイネーブル信号を出力し、
前記第２のスイッチセルは、
前記ガンマ補正データの第２のビットのデータが供給されると共に、前記第３及び第４のスイッチセルに対してイネーブル信号を出力し、
前記第３のスイッチセルは、
前記ガンマ補正データの第２のビットのデータが供給されると共に、前記第４のスイッチセルに対してイネーブル信号を出力し、
前記第４のスイッチセルは、
前記ガンマ補正データの第３のビットのデータが供給されることを特徴とする基準電圧選択回路。
【請求項４】
電位の高い順又は電位の低い順に並ぶ第１〜第Ｋ（Ｋは２以上の整数）の基準電圧を発生させるための基準電圧発生回路であって、
電位の高い順又は電位の低い順に並ぶ第１〜第Ｌ（ＬはＫより大きい整数）の選択用電圧を発生する選択用電圧発生回路と、
各ビットのデータが各選択用電圧に対応付けられると共に、基準電圧として出力するか否かを示すＬビットのガンマ補正データが設定されるガンマ補正データレジスタとを含み、
前記ガンマ補正データに基づいて前記第１〜第Ｌの選択用電圧の中から選択されたＫ種類の選択用電圧を、電位の高い順又は電位の低い順に前記第１〜第Ｋの基準電圧として出力することを特徴とする基準電圧発生回路。
【請求項５】
請求項４において、
前記第１〜第Ｋの基準電圧のうち前記第１及び第２の基準電圧を出力する請求項１又は２記載の基準電圧選択回路を含むことを特徴とする基準電圧発生回路。
【請求項６】
電気光学装置の複数のデータ線を駆動するための表示ドライバであって、
請求項４又は５記載の基準電圧発生回路と、
前記基準電圧発生回路からの前記第１〜第Ｋの基準電圧の中から、階調データに対応した基準電圧を選択し、データ電圧として出力する電圧選択回路と、
前記データ電圧に基づいて前記データ線を駆動する駆動回路とを含むことを特徴とする表示ドライバ。
【請求項７】
複数の走査線と、
複数のデータ線と、
前記複数の走査線の１つと前記複数のデータ線の１つとにより特定される画素電極と、
前記複数の走査線を走査する走査ドライバと、
前記複数のデータ線を駆動する請求項６記載の表示ドライバとを含むことを特徴とする電気光学装置。
【請求項８】
請求項６記載の表示ドライバを含むことを特徴とする電子機器。
【請求項９】
請求項７記載の電気光学装置を含むことを特徴とする電子機器。
【発明の詳細な説明】
【技術分野】
【０００１】
本発明は、基準電圧選択回路、基準電圧発生回路、表示ドライバ、電気光学装置及び電子機器に関する。
【背景技術】
【０００２】
液晶表示（Liquid Crystal Display：ＬＣＤ）パネルに代表される電気光学装置は、携帯型の電子機器に搭載されることが多くなる一方で、多階調化による色調豊富な画像表示が要求される。
【０００３】
一般に、画像表示を行うための映像信号は、表示装置の表示特性に応じてガンマ補正が行われる。電気光学装置を例にとれば、複数の基準電圧の中から、階調値を定める階調データに対応した基準電圧が選択され、この選択された基準電圧に基づいて画素の透過率を変化させる。そのため、ガンマ補正は、各基準電圧の電圧レベルを変化させることで実現される。
【０００４】
このような各基準電圧は、特許文献１〜特許文献４に開示されているように、ラダー抵抗回路の両端の電圧を、該ラダー抵抗回路を構成する複数の抵抗素子により分割された電圧として生成される。従って、各抵抗素子の抵抗値を変更することで各基準電圧の電圧レベルを変化させることができる。
【特許文献１】特開２００３−２３３３５４号公報
【特許文献２】特開２００３−２３３３５５号公報
【特許文献３】特開２００３−２３３３５６号公報
【特許文献４】特開２００３−２３３３５７号公報
【発明の開示】
【発明が解決しようとする課題】
【０００５】
しかしながら、ＬＣＤパネルの高精細化及び多様化によって、より高精度なガンマ補正が要求される場合がある。この場合、ラダー抵抗回路を構成する複数の抵抗素子の各抵抗素子の抵抗値を変化させるだけでは、高精度に基準電圧を発生させることが難しい。特に、ＬＣＤパネルの種類が変わった場合に、簡素な構成で、ＬＣＤパネルに応じた高精度な基準電圧を発生させることが困難である。そのため、複数種類のガンマ補正を実現させるための制御及び構成が複雑になるという問題がある。
【０００６】
本発明は、以上のような技術的課題に鑑みてなされたものであり、その目的とするところは、簡素な構成で、高精度なガンマ補正を実現させるための基準電圧選択回路、基準電圧発生回路、表示ドライバ、電気光学装置及び電子機器を提供することにある。
【課題を解決するための手段】
【０００７】
上記課題を解決するために本発明は、
電位の高い順又は電位の低い順に並ぶ第１〜第３の選択用電圧のうちの前記第１の選択用電圧を、電位の高い順又は低い順に並ぶ第１及び第２の基準電圧のうちの前記第１の基準電圧として出力するための第１のスイッチ素子と、
前記第２の選択用電圧を前記第１の基準電圧として出力するための第２のスイッチ素子と、
前記第２の選択用電圧を前記第２の基準電圧として出力するための第３のスイッチ素子と、
前記第３の選択用電圧を前記第２の基準電圧として出力するための第４のスイッチ素子とを含み、
前記第１のスイッチ素子が、
各ビットのデータが各選択用電圧に対応付けられ基準電圧として出力するか否かを示す少なくとも３ビットのガンマ補正データの第１のビットのデータによりイネーブルに設定されたことを条件に、前記第１の選択用電圧を前記第１の基準電圧として出力し、
前記第２のスイッチ素子が、
前記ガンマ補正データの第１のビットのデータによりディセーブルに設定され、且つ前記ガンマ補正データの第２のビットのデータによりイネーブルに設定されたことを条件に、前記第２の選択用電圧を前記第１の基準電圧として出力し、
前記第３のスイッチ素子が、
前記ガンマ補正データの第１のビットのデータによりイネーブルに設定され、且つ前記ガンマ補正データの第２のビットのデータによりイネーブルに設定されたことを条件に、前記第２の選択用電圧を前記第２の基準電圧として出力し、
前記第４のスイッチ素子が、
前記ガンマ補正データの第１のビットのデータによりイネーブルに設定され、且つ前記ガンマ補正データの第２のビットのデータによりディセーブルに設定され、且つ前記ガンマ補正データの第３のビットのデータによりイネーブルに設定されたことを条件に、前記第３の選択用電圧を前記第２の基準電圧として出力する基準電圧選択回路に関係する。
【０００８】
また本発明に係る基準電圧選択回路では、
各スイッチセルが、第１〜第４のスイッチ素子の各スイッチ素子を有する第１〜第４のスイッチセルを含み、
前記第１のスイッチセルが、
前記ガンマ補正データの第１のビットのデータによりイネーブルに設定されたとき、前記第２のスイッチセルへのディセーブル信号をアクティブにすると共に、前記第３のスイッチセルへのイネーブル信号をアクティブにし、
前記ガンマ補正データの第１のビットのデータによりディセーブルに設定されたとき、前記第２のスイッチセルへのディセーブル信号を非アクティブにすると共に、前記第３のスイッチセルへのイネーブル信号を非アクティブにし、
前記第２のスイッチセルが、
前記ガンマ補正データの第２のビットのデータによりイネーブルに設定され、且つ前記第１のスイッチセルからのディセーブル信号が非アクティブであることを条件に前記第２の選択用電圧を前記第１の基準電圧として出力すると共に、前記第４のスイッチセルへのイネーブル信号をアクティブにし、
それ以外のときには、前記第４のスイッチセルへのイネーブル信号を非アクティブにし、
前記第３のスイッチセルが、
前記ガンマ補正データの第２のビットのデータによりイネーブルに設定され、且つ前記第１のスイッチセルからのイネーブル信号がアクティブであることを条件に前記第２の選択用電圧を前記第２の基準電圧として出力すると共に、前記第４のスイッチセルへのディセーブル信号をアクティブにし、
それ以外のときには、前記第４のスイッチセルへのディセーブル信号を非アクティブにし、
前記第４のスイッチセルが、
前記ガンマ補正データの第３のビットのデータによりイネーブルに設定され、且つ前記第３のスイッチセルからのディセーブル信号が非アクティブであり、且つ前記第２のスイッチセルからのイネーブル信号がアクティブであることを条件に前記第３の選択用電圧を前記第２の基準電圧として出力することができる。
【０００９】
また本発明は、
電位の高い順又は電位の低い順に並ぶ第１〜第３の選択用電圧のうちの前記第１の選択用電圧を、電位の高い順又は低い順に並ぶ第１及び第２の基準電圧のうちの前記第１の基準電圧として出力するための第１のスイッチ素子を有する第１のスイッチセルと、
前記第２の選択用電圧を前記第１の基準電圧として出力するための第２のスイッチ素子を有する第２のスイッチセルと、
前記第２の選択用電圧を前記第２の基準電圧として出力するための第３のスイッチ素子を有する第３のスイッチセルと、
前記第３の選択用電圧を前記第２の基準電圧として出力するための第４のスイッチ素子を有する第４のスイッチセルとを含み、
前記第１のスイッチセルは、
各ビットのデータが各選択用電圧に対応付けられ基準電圧として出力するか否かを示す少なくとも３ビットのガンマ補正データの第１のビットのデータが供給されると共に、前記第２及び第３のスイッチセルに対してイネーブル信号を出力し、
前記第２のスイッチセルは、
前記ガンマ補正データの第２のビットのデータが供給されると共に、前記第３及び第４のスイッチセルに対してイネーブル信号を出力し、
前記第３のスイッチセルは、
前記ガンマ補正データの第２のビットのデータが供給されると共に、前記第４のスイッチセルに対してイネーブル信号を出力し、
前記第４のスイッチセルは、
前記ガンマ補正データの第３のビットのデータが供給される基準電圧選択回路に関係する。
【００１０】
これらのいずれかの発明によれば、第１〜第４のスイッチ素子を少なくとも含み、第１の選択用電圧を第２の基準電圧として出力するためのスイッチ素子を不要にできるようになる。更に、第１及び第２の基準電圧のみを出力する場合には、第３の選択用電圧を第１の基準電圧として出力するためのスイッチ素子についても不要にできるようになる。従って、高精度なガンマ補正を実現するための基準電圧を、簡素な構成で選択できる基準電圧選択回路を提供できるようになる。
【００１１】
また本発明は、
電位の高い順又は電位の低い順に並ぶ第１〜第Ｋ（Ｋは２以上の整数）の基準電圧を発生させるための基準電圧発生回路であって、
電位の高い順又は電位の低い順に並ぶ第１〜第Ｌ（ＬはＫより大きい整数）の選択用電圧を発生する選択用電圧発生回路と、
各ビットのデータが各選択用電圧に対応付けられると共に、基準電圧として出力するか否かを示すＬビットのガンマ補正データが設定されるガンマ補正データレジスタとを含み、
前記ガンマ補正データに基づいて前記第１〜第Ｌの選択用電圧の中から選択されたＫ種類の選択用電圧を、電位の高い順又は電位の低い順に前記第１〜第Ｋの基準電圧として出力する基準電圧発生回路に関係する。
【００１２】
また本発明に係る基準電圧発生回路では、
前記第１〜第Ｋの基準電圧のうち前記第１及び第２の基準電圧を出力する請求項１又は２記載の基準電圧選択回路を含むことができる。
【００１３】
本発明によれば、簡素な構成で、高精度なガンマ補正を実現させるための基準電圧選択回路を含む基準電圧発生回路を提供できる。
【００１４】
また本発明は、
電気光学装置の複数のデータ線を駆動するための表示ドライバであって、
上記記載の基準電圧発生回路と、
前記基準電圧発生回路からの前記第１〜第Ｋの基準電圧の中から、階調データに対応した基準電圧を選択し、データ電圧として出力する電圧選択回路と、
前記データ電圧に基づいて前記データ線を駆動する駆動回路とを含む表示ドライバに関係する。
【００１５】
本発明によれば、簡素な構成で、高精度なガンマ補正を実現させる表示ドライバを提供できる。
【００１６】
また本発明は、
複数の走査線と、
複数のデータ線と、
前記複数の走査線の１つと前記複数のデータ線の１つとにより特定される画素電極と、
前記複数の走査線を走査する走査ドライバと、
前記複数のデータ線を駆動する上記記載の表示ドライバとを含む電気光学装置に関係する。
【００１７】
本発明によれば、簡素な構成で、高精度なガンマ補正を実現させる電気光学装置を提供できる。
【００１８】
また本発明は、
上記記載の表示ドライバを含む電子機器に関係する。
【００１９】
また本発明は、
上記記載の電気光学装置を含む電子機器に関係する。
【００２０】
本発明によれば、簡素な構成で、高精度なガンマ補正を実現させる基準電圧発生回路を含む電子機器を提供できる。
【発明を実施するための最良の形態】
【００２１】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２２】
１．  液晶表示装置
図１に、本実施形態におけるアクティブマトリックス型の液晶表示装置の構成の概要を示す。ここでは、アクティブマトリックス型の液晶表示装置について説明するが、単純マトリックス型の液晶表示装置についても、本実施形態における基準電圧選択回路を含むデータドライバ（表示ドライバ）を適用できる。
【００２３】
液晶表示装置１０は、ＬＣＤパネル（広義には表示パネル、更に広義には電気光学装置）２０を含む。ＬＣＤパネル２０は、例えばガラス基板上に形成される。このガラス基板上には、Ｙ方向に複数配列されそれぞれＸ方向に伸びる走査線（ゲートライン）ＧＬ１〜ＧＬＭ（Ｍは２以上の整数）と、Ｘ方向に複数配列されそれぞれＹ方向に伸びるデータ線（ソースライン）ＤＬ１〜ＤＬＮ（Ｎは２以上の整数）とが配置されている。また、走査線ＧＬｍ（１≦ｍ≦Ｍ、ｍは整数、以下同様。）とデータ線ＤＬｎ（１≦ｎ≦Ｎ、ｎは整数、以下同様。）との交差位置に対応して、画素領域（画素）が設けられ、該画素領域に薄膜トランジスタ（Thin Film Transistor：以下、ＴＦＴと略す。）２２ｍｎが配置されている。
【００２４】
ＴＦＴ２２ｍｎのゲートは、走査線ＧＬｎに接続されている。ＴＦＴ２２ｍｎのソースは、データ線ＤＬｎに接続されている。ＴＦＴ２２ｍｎのドレインは、画素電極２６ｍｎに接続されている。画素電極２６ｍｎと、これに対向する対向電極２８ｍｎとの間に液晶が封入され、液晶容量（広義には液晶素子）２４ｍｎが形成される。画素電極２６ｍｎと対向電極２８ｍｎとの間の印加電圧に応じて画素の透過率が変化するようになっている。対向電極２８ｍｎには、対向電極電圧Ｖｃｏｍが供給される。
【００２５】
このようなＬＣＤパネル２０は、例えば画素電極及びＴＦＴが形成された第１の基板と、対向電極が形成された第２の基板とを貼り合わせ、両基板の間に電気光学材料としての液晶を封入させることで形成される。
【００２６】
液晶表示装置１０は、データドライバ（広義には表示ドライバ）３０を含む。データドライバ３０は、階調データに基づいて、ＬＣＤパネル２０のデータ線ＤＬ１〜ＤＬＮを駆動する。
【００２７】
液晶表示装置１０は、ゲートドライバ（広義には走査ドライバ）３２を含むことができる。ゲートドライバ３２は、一垂直走査期間内に、ＬＣＤパネル２０の走査線ＧＬ１〜ＧＬＭを走査する。
【００２８】
液晶表示装置１０は、電源回路１００を含むことができる。電源回路１００は、データ線の駆動に必要な電圧を生成し、これらをデータドライバ３０に対して供給する。電源回路１００は、例えばデータドライバ３０のデータ線の駆動に必要な電源電圧ＶＤＤＨ、ＶＳＳＨや、データドライバ３０のロジック部の電圧を生成する。
【００２９】
また電源回路１００は、走査線の走査に必要な電圧を生成し、これをゲートドライバ３２に対して供給する。
【００３０】
更に電源回路１００は、対向電極電圧Ｖｃｏｍを生成する。電源回路１００は、データドライバ３０によって生成された極性反転信号ＰＯＬのタイミングに合わせて、高電位側電圧ＶＣＯＭＨと低電位側電圧ＶＣＯＭＬとを周期的に繰り返す対向電極電圧Ｖｃｏｍを、ＬＣＤパネル２０の対向電極に出力する。
【００３１】
液晶表示装置１０は、表示コントローラ３８を含むことができる。表示コントローラ３８は、図示しない中央処理装置（Central Processing Unit：以下、ＣＰＵと略す。）等
のホストにより設定された内容に従って、データドライバ３０、ゲートドライバ３２、電源回路１００を制御する。例えば、表示コントローラ３８は、データドライバ３０及びゲートドライバ３２に対し、動作モードの設定、内部で生成した垂直同期信号や水平同期信号の供給を行う。本実施形態では、表示コントローラ３８が、データドライバ３０に対してガンマ補正データを供給し、種々のガンマ補正を実現できるようになっている。
【００３２】
なお図１では、液晶表示装置１０に電源回路１００又は表示コントローラ３８を含めて構成するようにしているが、これらのうち少なくとも１つを液晶表示装置１０の外部に設けて構成するようにしてもよい。或いは、液晶表示装置１０に、ホストを含めるように構成することも可能である。
【００３３】
また、データドライバ３０は、ゲートドライバ３２及び電源回路１００のうち少なくとも１つを内蔵してもよい。
【００３４】
更にまた、データドライバ３０、ゲートドライバ３２、表示コントローラ３８及び電源回路１００の一部又は全部をＬＣＤパネル２０上に形成してもよい。例えば図２では、ＬＣＤパネル２０上に、データドライバ３０及びゲートドライバ３２が形成されている。このようにＬＣＤパネル２０は、複数のデータ線と、複数の走査線と、複数の走査線の各走査線及び複数のデータ線の各データ線とに接続された複数のスイッチ素子と、複数のデータ線を駆動する表示ドライバとを含むように構成することができる。ＬＣＤパネル２０の画素形成領域８０に、複数の画素が形成されている。
【００３５】
２．  ゲートドライバ
図３に、図１のゲートドライバ３２の構成例を示す。
【００３６】
ゲートドライバ３２は、シフトレジスタ４０、レベルシフタ４２、出力バッファ４４を含む。
【００３７】
シフトレジスタ４０は、各走査線に対応して設けられ、順次接続された複数のフリップフロップを含む。このシフトレジスタ４０は、クロック信号ＣＰＶに同期してスタートパルス信号ＳＴＶをフリップフロップに保持すると、順次クロック信号ＣＰＶに同期して隣接するフリップフロップにスタートパルス信号ＳＴＶをシフトする。ここで入力されるクロック信号ＣＰＶは水平同期信号であり、スタートパルス信号ＳＴＶは垂直同期信号である。
【００３８】
レベルシフタ４２は、シフトレジスタ４０からの電圧のレベルを、ＬＣＤパネル２０の液晶素子とＴＦＴのトランジスタ能力とに応じた電圧のレベルにシフトする。この電圧レベルとしては、例えば２０Ｖ〜５０Ｖの高い電圧レベルが必要になる。
【００３９】
出力バッファ４４は、レベルシフタ４２によってシフトされた走査電圧をバッファリングして走査線に出力し、走査線を駆動する。
【００４０】
３．  データドライバ
図４に、図１のデータドライバ３０の構成例のブロック図を示す。図４では、１ドット当たりの階調データのビット数が６であるものとして説明するが、本発明が階調データのビット数に限定されるものではない。
【００４１】
データドライバ３０は、データラッチ５０、ラインラッチ５２、基準電圧発生回路５４、ＤＡＣ（Digital/Analog Converter）（広義には、電圧選択回路）５６、駆動回路５８を含む。
【００４２】
データドライバ３０には、画素単位（又は１ドット単位）でシリアルに階調データが入力される。この階調データは、ドットクロック信号ＤＣＬＫに同期して入力される。ドットクロック信号ＤＣＬＫは、表示コントローラ３８から供給される。図４では、説明の簡略化のため、１ドット単位で階調データが入力されるものとする。
【００４３】
データラッチ５０は、ドットクロック信号ＤＣＬＫに同期して、取り込み開始信号をシフトし、そのシフト出力に同期して、階調データをラッチすることで、例えば一水平走査分の階調データを取り込む。
【００４４】
ラインラッチ５２は、データラッチ５０にラッチされた一水平走査分の階調データを、水平同期信号ＨＳＹＮＣの変化タイミングでラッチする。
【００４５】
基準電圧発生回路５４は、各基準電圧が各階調データに対応する複数の基準電圧を生成する。より具体的には、基準電圧発生回路５４は、電位の高い順又は電位の低い順に並ぶ第１〜第Ｋ（Ｋは２以上の整数）の基準電圧を発生させる。この場合に、基準電圧発生回路５４は、電位の高い順又は電位の低い順に並ぶ第１〜第Ｌ（ＬはＫより大きい整数）の選択用電圧を一旦生成し、Ｌビットのガンマ補正データに基づいて第１〜第Ｌの選択用電圧の中から選択されたＫ種類の選択用電圧を、電位の高い順又は電位の低い順に第１〜第Ｋの基準電圧として出力する。ここで、ガンマ補正データの各ビットのデータが、各選択用電圧に対応しており、各選択用電圧を各基準電圧として出力するか否かを示す。
【００４６】
以下では、Ｌが２５６、Ｋが６４であるものとして説明する。即ち、基準電圧発生回路５４は、高電位側電源電圧ＶＤＤＨと低電位側電源電圧ＶＳＳＨとに基づいて、各基準電圧が６ビットの各階調データに対応する複数の基準電圧Ｖ０〜Ｖ６３を生成する。この際、基準電圧発生回路５４では、高電位側電源電圧ＶＤＤＨと低電位側電源電圧ＶＳＳＨとの間の電圧が分割された複数の選択用電圧ＶＧ０〜ＶＧ２５５が生成され、ガンマ補正データに基づいて、複数の選択用電圧ＶＧ０〜ＶＧ２５５の中から選択された６４種類の選択用電圧が基準電圧Ｖ０〜Ｖ６３として出力される。
【００４７】
ＤＡＣ５６は、ラインラッチ５２から出力される階調データに対応したデータ電圧を、出力線ごとに生成する。より具体的には、ＤＡＣ５６は、基準電圧発生回路５４によって生成された複数の基準電圧Ｖ０〜Ｖ６３の中から、ラインラッチ５２から出力された１出力線分の階調データに対応した基準電圧を選択し、選択した基準電圧をデータ電圧として出力する。
【００４８】
駆動回路５８は、各出力線がＬＣＤパネル２０の各データ線に接続される複数の出力線を駆動する。より具体的には、駆動回路５８は、ＤＡＣ５６によって出力線毎に生成されたデータ電圧に基づいて、各出力線を駆動する。即ち、駆動回路５８は、階調データに基づいて選択された基準電圧をデータ電圧として、該データ電圧に基づいてデータ線を駆動する。駆動回路５８は、出力線毎に設けられたボルテージフォロワ接続された演算増幅器を有し、該演算増幅器がＤＡＣ５６からのデータ電圧に基づいて各出力線を駆動する。
【００４９】
図５に、基準電圧発生回路５４、ＤＡＣ５６、駆動回路５８の構成の概要を示す。ここでは、駆動回路５８のうち、データ線ＤＬ１と電気的に接続される出力線ＯＬ−１を駆動する構成のみを示すが、他の出力線についても同様である。
【００５０】
基準電圧発生回路５４は、高電位側電源電圧ＶＤＤＨ及び低電位側電源電圧ＶＳＳＨの間の電圧を抵抗回路により分割した複数の電圧を、基準電圧Ｖ０〜Ｖ６３として出力する。なお、極性反転駆動の場合、実際には極性が正の場合と負の場合とで電圧が対称とならないため、正極性用の基準電圧と、負極性用の基準電圧とが生成される。図５では、その一方を示している。
【００５１】
ＤＡＣ５６−１は、ＲＯＭデコーダ回路により実現することができる。ＤＡＣ５６−１は、６ビットの階調データに基づいて、基準電圧Ｖ０〜Ｖ６３のうちいずれか１つを選択して選択電圧Ｖｓとして演算増幅器ＤＲＶ−１に出力する。なお、他の演算増幅器ＤＲＶ−２〜ＤＲＶ−Ｎについても、同様に、対応する６ビットの階調データに基づいて選択された電圧が出力される。
【００５２】
ＤＡＣ５６−１は、反転回路５７−１を含む。反転回路５７−１は、極性反転信号ＰＯＬに基づいて階調データを反転する。そして、ＤＡＣ５６−１には、６ビットの階調データＤ０〜Ｄ５と、６ビットの反転階調データＸＤ０〜ＸＤ５とが入力される。反転階調データＸＤ０〜ＸＤ５は、階調データＤ０〜Ｄ５をそれぞれビット反転したものである。そして、ＤＡＣ５６−１において、基準電圧発生回路５４により生成された多値の基準電圧Ｖ０〜Ｖ６３のうちのいずれか１つが階調データに基づいて選択される。
【００５３】
例えば極性反転信号ＰＯＬの論理レベルが「Ｈ」のとき、６ビットの階調データＤ０〜Ｄ５「００００１０」（＝２）に対応して、基準電圧Ｖ２が選択される。また例えば極性反転信号ＰＯＬの論理レベルが「Ｌ」のとき、階調データＤ０〜Ｄ５を反転した反転階調データＸＤ０〜ＸＤ５を用いて基準電圧を選択する。即ち、反転階調データＸＤ０〜ＸＤ５が「１１１１０１」（＝６１）となり、基準電圧Ｖ６１が選択される。
【００５４】
このようにしてＤＡＣ５６−１により選択された選択電圧Ｖｓは、演算増幅器ＤＲＶ−１に供給される。
【００５５】
そして、演算増幅器ＤＲＶ−１は、選択電圧Ｖｓに基づいて出力線ＯＬ−１を駆動する。また、電源回路１００は、上述したように、極性反転信号ＰＯＬに同期して対向電極の電圧を変化させる。こうして、液晶に印加される電圧の極性を反転させて駆動する。
【００５６】
４．  基準電圧発生回路
図６に、本実施形態における基準電圧発生回路５４の構成例のブロック図を示す。
【００５７】
基準電圧発生回路５４は、選択用電圧発生回路２００と、基準電圧選択回路２１０と、ガンマ補正データレジスタ２２０とを含む。
【００５８】
選択用電圧発生回路２００は、両端に高電位側電源電圧ＶＤＤＨ及び低電位側電源電圧ＶＳＳＨが供給されるラダー抵抗回路を含む。このラダー抵抗回路は、直列に接続された複数の抵抗素子を有する。そして、抵抗素子同士が電気的に接続されるノードを出力ノードとして、該出力ノードから選択用電圧を出力する。なお各抵抗素子の抵抗値は、ホスト又は表示コントローラ３８からの制御によって変更できることが望ましい。
【００５９】
こうして選択用電圧発生回路２００は、電位の低い順に並ぶ選択用電圧ＶＧ０〜ＶＧ２５５（第１〜第Ｌの選択用電圧）を出力する。なお、選択用電圧発生回路２００は、電位の高い順に並ぶ選択用電圧ＶＧ０〜ＶＧ２５５を出力するようにしてもよい。
【００６０】
ガンマ補正データレジスタ２２０には、各ビットのデータが各選択用電圧に対応付けられ、基準電圧として出力するか否かを示すＬビットのガンマ補正データが設定される。
【００６１】
図７に、本実施形態のガンマ補正データの説明図を示す。
【００６２】
選択用電圧がＬ種類の場合、ガンマ補正データはＬビット構成である。従って、図６におけるガンマ補正データは２５６ビット構成である。ガンマ補正データの各ビットのデータは、各選択用電圧を基準電圧として出力するか否かを示す。本実施形態では、ビットのデータが「１」のときは当該ビットに対応する選択用電圧を基準電圧として出力することを示し、ビットのデータが「０」のときは当該ビットに対応する選択用電圧を基準電圧として出力しないことを示す。従って、２５６ビット構成のガンマ補正データは、２５６ビットのうちいずれかの６４ビットだけが「１」で、残りが「０」であるデータとなる。
【００６３】
図７では、ガンマ補正データの最上位ビットである２５５ビット目のデータがＲＥＧ２５５となり、・・・、ガンマ補正データの最下位ビットである０ビット目のデータがＲＥＧ０となる。
【００６４】
図６において、基準電圧選択回路２１０は、ガンマ補正データに基づいて選択用電圧ＶＧ０〜ＶＧ２５５（第１〜第Ｌの選択用電圧）の中から選択された６４（＝Ｋ）種類の選択用電圧を、電位の低い順に基準電圧Ｖ０〜Ｖ６３（第１〜第Ｋの基準電圧）として出力する。なお、基準電圧選択回路２１０は、電位の高い順に並ぶ基準電圧Ｖ０〜Ｖ６３を出力するようにしてもよい。
【００６５】
図８に、図６の基準電圧選択回路の動作例の説明図を示す。
【００６６】
図８では、ガンマ補正データの最下位ビットが「０」、下位２ビット目が「１」、下位３ビット目が「１」、・・・、最上位ビットが「１」である。ガンマ補正データの最下位ビットが「０」であるため、当該ビットに対応する選択用電圧ＶＧ０は基準電圧として出力されない。
【００６７】
一方、ガンマ補正データの下位２ビット目が「１」であるため、当該ビットに対応する選択用電圧ＶＧ１は基準電圧として出力される。従って、選択用電圧ＶＧ１が、基準電圧Ｖ０として出力される。
【００６８】
ガンマ補正データの下位３ビット目が「１」であるため、当該ビットに対応する選択用電圧ＶＧ２は基準電圧として出力される。従って、選択用電圧ＶＧ２が、基準電圧Ｖ１として出力される。
【００６９】
同様に、ガンマ補正データの上位２ビット目が「０」であるため、当該ビットに対応する選択用電圧ＶＧ２５４は基準電圧として出力されない。これに対して、ガンマ補正データの最上位ビットが「１」であるため、当該ビットに対応する選択用電圧ＶＧ２５５は基準電圧として出力される。従って、選択用電圧ＶＧ２５５が、基準電圧Ｖ６３として出力される。
【００７０】
こうすることで、基準電圧発生回路５４が、電位の高い順又は電位の低い順に並ぶ第１〜第Ｌの選択用電圧の中から選択されたＫ種類の選択用電圧を、電位の高い順又は電位の低い順に並ぶ第１〜第Ｋの基準電圧として発生させることができる。
【００７１】
図９に、ガンマ特性の説明図を示す。
【００７２】
図９は、横軸に基準電圧、縦軸に画素の透過率を示す。上述のように、本実施形態では、基準電圧Ｖｘの電圧レベルを選択用電圧の中から選択して、複数種類の電圧レベルを出力させることができる。従って、ＬＣＤパネルの種類に応じた木目細かいガンマ補正を実現できる。
【００７３】
また選択用電圧発生回路２００のラダー抵抗回路を構成する各抵抗素子の抵抗値を可変制御できるようにすることで、基準電圧発生回路５４が出力する複数の基準電圧Ｖ０〜Ｖ６３の電圧レベルを多様化できる。
【００７４】
４．１  基準電圧選択回路
次に、本実施形態の基準電圧選択回路２１０について説明する。基準電圧選択回路２１０は、電位の降順又は昇順に並ぶＫ種類の選択用電圧の中から選択されたＬ種類の選択用電圧を、電位の降順又は昇順に並ぶＬ種類の基準電圧として出力する。そのため、基準電圧選択回路２１０の機能を単純に回路で実現しようとすると、回路規模が大きくなってしまう。
【００７５】
図１０に、本実施形態の比較例における基準電圧選択回路２１０の構成例のブロック図を示す。
【００７６】
比較例では、基準電圧毎に、２５６入力１出力のセレクタが設けられている。この場合、各セレクタは、ガンマ補正データに基づいて選択用電圧ＶＧ０〜ＶＧ２５５のうちの１つを選択することになる。
【００７７】
従って、基準電圧の種類を増加させる毎に、２５６入力１出力のセレクタを追加する必要が生じ、基準電圧選択回路２１０のみならず、基準電圧発生回路５４の回路規模の増大を招き、消費電力を増大させることにもなる。
【００７８】
そこで、本実施形態では、以下に説明するように、基準電圧選択回路２１０の機能をスイッチマトリックス構成で実現させるようにしている。こうすることで、基準電圧選択回路２１０の回路規模の増大を抑えることができるようになる。しかも、比較例と比べて、選択用電圧の種類や基準電圧の種類が増加しても、基準電圧選択回路２１０の回路規模の増大が少なくて済む。
【００７９】
図１１に、本実施形態における基準電圧選択回路２１０の構成例のブロック図を示す。ここでは、説明の簡略化のため、選択用電圧が３種類（ＶＧ０、ＶＧ１、ＶＧ２）、基準電圧が２種類（Ｖ０、Ｖ１）であるものとする。選択用電圧が３種類以上で、且つ基準電圧が２種類以上の基準電圧選択回路２１０は、図１１の構成を必ず含む。従って、本実施形態において、電位の高い順又は電位の低い順に並ぶ第１〜第Ｋの基準電圧を発生させる基準電圧発生回路５４は、図１１に示すように第１〜第Ｋの基準電圧のうち少なくとも第１及び第２の基準電圧を出力する基準電圧選択回路を含むことができる。
【００８０】
図１１の基準電圧選択回路は、３ビットのガンマ補正データに基づいて、電位の高い順又は電位の低い順に並ぶ第１〜第３の選択用電圧ＶＧ０〜ＶＧ２の中から、電位の高い順又は低い順に並ぶ第１及び第２の基準電圧Ｖ０、Ｖ１を選択する。
【００８１】
この基準電圧選択回路は、第１〜第４のスイッチ素子ＳＷ１〜ＳＷ４を含む。第１のスイッチ素子ＳＷ１は、第１の選択用電圧ＶＧ０を第１の基準電圧Ｖ０として出力するためのスイッチ回路である。第２のスイッチ素子ＳＷ２は、第２の選択用電圧ＶＧ１を第１の基準電圧Ｖ０として出力するためのスイッチ回路である。第３のスイッチ素子ＳＷ３は、第２の選択用電圧ＶＧ１を第２の基準電圧Ｖ１として出力するためのスイッチ回路である。第４のスイッチ素子ＳＷ４は、第３の選択用電圧ＶＧ２を第２の基準電圧Ｖ１として出力するためのスイッチ回路である。各スイッチ回路は、各選択用電圧が供給される信号線と各基準電圧が出力される信号線とを電気的に接続又は遮断することができる。
【００８２】
そして、第１のスイッチ素子ＳＷ１は、ガンマ補正データの第１のビットのデータＲＥＧ０によりイネーブルに設定されたことを条件に、第１の選択用電圧ＶＧ０を第１の基準電圧Ｖ０として出力する。第２のスイッチ素子ＳＷ２は、ガンマ補正データの第１のビットのデータＲＥＧ０によりディセーブルに設定され、且つガンマ補正データの第２のビットのデータＲＥＧ１によりイネーブルに設定されたことを条件に、第２の選択用電圧ＶＧ１を第１の基準電圧Ｖ０として出力する。第３のスイッチ素子ＳＷ３は、ガンマ補正データの第１のビットのデータＲＥＧ０によりイネーブルに設定され、且つガンマ補正データの第２のビットのデータＲＥＧ１によりイネーブルに設定されたことを条件に、第２の選択用電圧ＶＧ１を第２の基準電圧Ｖ１として出力する。第４のスイッチ素子ＳＷ４は、ガンマ補正データの第１のビットのデータＲＥＧ０によりイネーブルに設定され、且つガンマ補正データの第２のビットのデータＲＥＧ１によりディセーブルに設定され、且つガンマ補正データの第３のビットのデータＲＥＧ２によりイネーブルに設定されたことを条件に、第３の選択用電圧ＶＧ２を第２の基準電圧Ｖ１として出力する。
【００８３】
なお図１１の基準電圧選択回路は、各スイッチセルが第１〜第４のスイッチ素子ＳＷ１〜ＳＷ４の各スイッチ素子を有する第１〜第４のスイッチセルＳＣ１〜ＳＣ４を含むことができる。そして、各スイッチセルは、他のスイッチセルから供給されるイネーブル信号及びディセーブル信号に基づいて、内蔵するスイッチ素子のオンオフ制御を行うと共に、別のスイッチセルにイネーブル信号及びディセーブル信号を出力する。
【００８４】
図１２（Ａ）、図１２（Ｂ）に、スイッチセルが他のスイッチセルに出力するイネーブル信号及びディセーブル信号を説明する図を示す。図１２（Ａ）、図１２（Ｂ）では、４種類の選択用電圧から３種類の基準電圧を選択する例を示している。
【００８５】
図１２（Ａ）において、例えばガンマ補正データの第１のビットのデータＲＥＧ０により第１のスイッチセルＳＣ１がイネーブルに設定されたとき、第１のスイッチセルＳＣ１は、第２のスイッチセルＳＣ２へのディセーブル信号ｄｉｓをアクティブにし、第３のスイッチセルへのイネーブル信号ｅｎａｂｌｅをアクティブにする。
【００８６】
第２のスイッチセルＳＣ２は、第１のスイッチセルＳＣ１からのディセーブル信号ｄｉｓを用いて、第２のスイッチセルＳＣ２が内蔵する第２のスイッチ素子ＳＷ２のオンオフ制御を行う。同様に、第３のスイッチセルＳＣ３は、第１のスイッチセルＳＣ１からのイネーブル信号ｅｎａｂｌｅを用いて、第３のスイッチセルＳＣ３が内蔵する第３のスイッチ素子ＳＷ３のオンオフ制御を行う。
【００８７】
これに対して、図１２（Ｂ）において、例えばガンマ補正データの第１のビットのデータＲＥＧ０により第１のスイッチセルＳＣ１がディセーブルに設定されたとき、第１のスイッチセルＳＣ１は、第２のスイッチセルＳＣ２へのディセーブル信号ｄｉｓを非アクティブにし、第３のスイッチセルへのイネーブル信号ｅｎａｂｌｅを非アクティブにする。
【００８８】
この場合も図１２（Ａ）と同様に、第２のスイッチセルＳＣ２は、第１のスイッチセルＳＣ１からのディセーブル信号ｄｉｓを用いて、第２のスイッチセルＳＣ２が内蔵する第２のスイッチ素子ＳＷ２のオンオフ制御を行う。また第３のスイッチセルＳＣ３は、第１のスイッチセルＳＣ１からのイネーブル信号ｅｎａｂｌｅを用いて、第３のスイッチセルＳＣ３が内蔵する第３のスイッチ素子ＳＷ３のオンオフ制御を行う。
【００８９】
より具体的には、第１のスイッチセルＳＣ１は、ガンマ補正データの第１のビットのデータＲＥＧ０によりイネーブルに設定されたとき、第２のスイッチセルＳＣ２へのディセーブル信号ｄｉｓをアクティブにすると共に、第３のスイッチセルＳＣ３へのイネーブル信号ｅｎａｂｌｅをアクティブにする。また、第１のスイッチセルＳＣ１は、ガンマ補正データの第１のビットのデータＲＥＧ０によりディセーブルに設定されたとき、第２のスイッチセルＳＣ２へのディセーブル信号ｄｉｓを非アクティブにすると共に、第３のスイッチセルＳＣ３へのイネーブル信号ｅｎａｂｌｅを非アクティブにする。
【００９０】
第２のスイッチセルＳＣ２は、ガンマ補正データの第２のビットのデータＲＥＧ１によりイネーブルに設定され、且つ第１のスイッチセルＳＣ１からのディセーブル信号ｄｉｓが非アクティブであることを条件に第２の選択用電圧ＶＧ１を第１の基準電圧Ｖ０として出力すると共に、第４のスイッチセルＳＣ４へのイネーブル信号ｅｎａｂｌｅをアクティブにする。それ以外のとき、第２のスイッチセルＳＣ２は、第４のスイッチセルＳＣ４へのイネーブル信号ｅｎａｂｌｅを非アクティブにする。
【００９１】
第３のスイッチセルＳＣ３は、ガンマ補正データの第２のビットのデータＲＥＧ１によりイネーブルに設定され、且つ第１のスイッチセルＳＣ１からのイネーブル信号ｅｎａｂｌｅがアクティブであることを条件に第２の選択用電圧ＶＧ１を第２の基準電圧Ｖ１として出力すると共に、第４のスイッチセルＳＣ４へのディセーブル信号ｄｉｓをアクティブにする。それ以外のとき、第３のスイッチセルＳＣ３は、第４のスイッチセルＳＣ４へのディセーブル信号ｄｉｓを非アクティブにする。
【００９２】
第４のスイッチセルＳＣ４は、ガンマ補正データの第３のビットのデータＲＥＧ２によりイネーブルに設定され、且つ第３のスイッチセルＳＣ３からのディセーブル信号ｄｉｓが非アクティブであり、且つ第２のスイッチセルＳＣ２からのイネーブル信号ｅｎａｂｌｅがアクティブであることを条件に第３の選択用電圧ＶＧ２を第２の基準電圧Ｖ１として出力する。
【００９３】
このようにイネーブル信号及びディセーブル信号を伝搬させることで、１つのスイッチセルを繰り返し接続するだけで済み、基準電圧選択回路の設計や、その変更が容易になる。なお、このディセーブル信号をイネーブル信号として伝搬させるようにしてもよいことは言うまでもない。
【００９４】
図１３に、図１１の基準電圧選択回路の動作例を示す。
【００９５】
図１３に示すように、図１１の基準電圧選択回路は、電位の高い順又は電位の低い順に並ぶ第１〜第３の選択用電圧ＶＧ０〜ＶＧ２が、３ビットのガンマ補正データにより「１」が設定されたビットのデータに基づいて、電位の高い順又は電位の低い順に並ぶ第１及び第２の基準電圧Ｖ０、Ｖ１を出力する。
【００９６】
このようなスイッチ素子又は該スイッチ素子を含むスイッチセルを採用して、上記のように信号（イネーブル信号、ディセーブル信号）を伝搬させることで、スイッチマトリックス構成で基準電圧選択回路を実現した場合であってもスイッチ素子又はスイッチセルの数を削減できる。
【００９７】
一般に、スイッチマトリックス構成で第１〜第３の選択用電圧ＶＧ１〜ＶＧ２から第１及び第２の基準電圧Ｖ０、Ｖ１を選択する回路を実現する場合、６（＝３×２）個のスイッチ素子又はスイッチセルが必要となる。
【００９８】
これに対して、電位の高い順又は低い順に２つの基準電圧を出力するという特性を考慮すると、第３の選択用電圧ＶＧ２が第１の基準電圧Ｖ０として出力されることはない。同様に、第１の選択用電圧ＶＧ０が第２の基準電圧Ｖ１として出力されることはない。従って、図１１の場合、スイッチ素子ＳＷ１０（スイッチ素子ＳＷ１０を含むスイッチセルＳＣ１０）及びスイッチ素子ＳＷ１１（スイッチ素子ＳＷ１１を含むスイッチセルＳＣ１１）を省略できる。
【００９９】
本実施形態では、基準電圧選択回路が、電位の高い順又は電位の低い順に並ぶ第１〜第Ｌの選択用電圧の中から、電位の高い順又は電位の低い順に並ぶ第１〜第Ｋの基準電圧を選択する。このため、本実施形態の場合には、１つの基準電圧を出力するために（Ｌ−Ｋ＋１）個のスイッチセルが必要とされる。そのため、この基準電圧選択回路は、Ｋ×（Ｌ−Ｋ＋１）個のスイッチセルで実現できる。
【０１００】
以下では、本実施形態の基準電圧選択回路の具体的な回路構成例について説明する。
【０１０１】
図１４に、本実施形態の基準電圧選択回路の具体的な回路構成例を示す。図１４では、Ｌが１６（第１〜第１６の選択用電圧ＶＧ０〜ＶＧ１５）で、Ｋが５（第１〜第４の基準電圧Ｖ０〜Ｖ４）の構成例を示す。
【０１０２】
ＶＧ＜１５：０＞が第１〜第１６の選択用電圧ＶＧ０〜ＶＧ１５を示し、ＶＧ＜１５：０＞の各ビットの信号線に各選択用電圧が供給される。Ｖ＜４：０＞が第１〜第４の基準電圧Ｖ０〜Ｖ４を示し、Ｖ＜４：０＞の各ビットの信号線に各基準電圧が出力される。ＲＥＧ＜１５：０＞は、１６ビットのガンマ補正データである。
【０１０３】
単純にスイッチマトリックス構成を採用した場合、８０（＝５×１６）個のスイッチセルが必要となるにも関わらず、本実施形態では、６０（＝５×（１６−５＋１））個のスイッチセルで実現できる。これは、上述した理由により、図１４の回路部分３１０、３１２のスイッチセルを省略できるからである。
【０１０４】
図１５に、図１４の回路図の一部の拡大図を示す。
【０１０５】
図１５において、図１４と同一部分には同一符号を付し適宜説明を省略する。図１５において、例えばスイッチセルＳＣ１−１、ＳＣ２−１、ＳＣ３−１、ＳＣ４−１、・・・、ＳＣ２−１、ＳＣ２−２、・・・のそれぞれは同一構成である。
【０１０６】
各スイッチセルは、ＶＤＤ端子、ＥＮＨＶＩ端子、ＥＮＨＩ端子、ＥＮＶＩ端子、Ｄ端子、ＥＮＨＯ端子、ＥＮＶＤ端子、ＯＵＴ端子、ＩＮ端子を含む。
【０１０７】
ＶＤＤ端子は、高電位側の電源電圧ＶＤＤを供給するための端子である。このスイッチセルでは低電位側の電源電圧ＶＳＳを供給するための端子の図示は省略されている。ＥＮＨＶＩ端子は、ｄｉｒＢ方向に並ぶセルに供給されるイネーブル信号ｅｎａｂｌｅが入力される端子である。ＥＮＨＩ端子は、ｄｉｒＡ方向に並ぶセルに供給されるイネーブル信号ｅｎａｂｌｅ（論理レベルを反転したディセーブル信号ｄｉｓと等価）が入力される端子である。ＥＮＶＩ端子は、ｄｉｒＢ方向に並ぶセルに供給されるイネーブル信号ｅｎａｂｌｅが入力される端子である。ＥＮＨＯ端子は、ｄｉｒＡ方向に並ぶセルに供給されるイネーブル信号ｅｎａｂｌｅ（論理レベルを反転したディセーブル信号ｄｉｓと等価）が出力される端子である。Ｄ端子は、ガンマ補正データのビットのデータが入力される端子である。ＥＮＶＤ端子は、ｄｉｒＢ方向に並ぶセルに供給されるイネーブル信号ｅｎａｂｌｅを出力するための端子である。ＯＵＴ端子は、基準電圧を供給するための端子である。ＩＮ端子は、選択用電圧が供給される端子である。
【０１０８】
従って、図１５に示すように、基準電圧選択回路は、第１〜第４のスイッチセルＳＣ１−１、ＳＣ２−１、ＳＣ１−２、ＳＣ２−２を含むことができる。第１のスイッチセルＳＣ１−１は、電位の高い順又は電位の低い順に並ぶ第１〜第３の選択用電圧のうちの第１の選択用電圧を、電位の高い順又は低い順に並ぶ第１及び第２の基準電圧のうちの第１の基準電圧として出力するための第１のスイッチ素子を有する。第２のスイッチセルＳＣ１−２は、第２の選択用電圧を第１の基準電圧として出力するための第２のスイッチ素子を有する。第３のスイッチセルＳＣ１−２は、第２の選択用電圧を第２の基準電圧として出力するための第３のスイッチ素子を有する。第４のスイッチセルＳＣ２−２は、第３の選択用電圧を第２の基準電圧として出力するための第４のスイッチ素子を有する。
【０１０９】
そして第１のスイッチセルＳＣ１−１には、各ビットのデータが各選択用電圧に対応付けられ基準電圧として出力するか否かを示すＬビットのガンマ補正データの第１のビットのデータが供給されると共に、第１のスイッチセルＳＣ１−１は、第２及び第３のスイッチセルＳＣ２−１、ＳＣ１−２に対してイネーブル信号を出力する。第２のスイッチセルＳＣ２−１には、ガンマ補正データの第２のビットのデータが供給されると共に、第２のスイッチセルＳＣ２−１は、第３及び第４のスイッチセルＳＣ１−２、ＳＣ２−２に対してイネーブル信号を出力する。第３のスイッチセルＳＣ１−２には、ガンマ補正データの第２のビットのデータが供給されると共に、第３のスイッチセルＳＣ１−２は、第４のスイッチセルＳＣ２−２に対してイネーブル信号を出力する。第４のスイッチセルＳＣ２−２には、ガンマ補正データの第３のビットのデータが供給される。
【０１１０】
図１５では、上述のディセーブル信号ｄｉｓを、イネーブル信号ｅｎａｂｌｅとして出力する。アクティブに設定されたイネーブル信号ｅｎａｂｌｅと非アクティブに設定されたディセーブル信号ｄｉｓとが等価であり、非アクティブに設定されたイネーブル信号ｅｎａｂｌｅとアクティブに設定されたディセーブル信号ｄｉｓとが等価だからである。
【０１１１】
図１６に、図１５のスイッチセルの回路構成例を示す。
【０１１２】
図１６では、スイッチ素子ＳＷが、トランスファーゲートにより構成される。ＥＮＶＩ端子、Ｄ端子及びＥＮＨＩ端子からの入力信号の論理積演算結果が「Ｈ」のとき、スイッチ素子ＳＷが導通状態となり、ＩＮ端子とＯＵＴ端子が同電位となる。該論理積演算結果が「Ｌ」のとき、スイッチ素子ＳＷが非導通状態となる。
【０１１３】
この論理積演算結果とＥＮＨＶＩ端子からの入力信号との論理和演算結果が、ＥＮＶＯ端子から出力される。また論理積演算結果とＥＮＨＶＩ端子からの入力信号との論理和演算結果の反転結果は、ＥＮＨＯ端子から出力信号となる。
【０１１４】
５．  電子機器
図１７に、本実施形態における電子機器の構成例のブロック図を示す。ここでは、電子機器として、携帯電話機の構成例のブロック図を示す。図１７において、図１又は図２と同一部分には同一符号を付し、適宜説明を省略する。
【０１１５】
携帯電話機９００は、カメラモジュール９１０を含む。カメラモジュール９１０は、ＣＣＤカメラを含み、ＣＣＤカメラで撮像した画像のデータを、ＹＵＶフォーマットで表示コントローラ３８に供給する。
【０１１６】
携帯電話機９００は、ＬＣＤパネル２０を含む。ＬＣＤパネル２０は、データドライバ３０及びゲートドライバ３２によって駆動される。ＬＣＤパネル２０は、複数のゲート線、複数のソース線、複数の画素を含む。
【０１１７】
表示コントローラ３８は、データドライバ３０及びゲートドライバ３２に接続され、データドライバ３０に対してＲＧＢフォーマットの表示データを供給する。
【０１１８】
電源回路１００は、データドライバ３０及びゲートドライバ３２に接続され、各ドライバに対して、駆動用の電源電圧を供給する。またＬＣＤパネル２０の対向電極に、対向電極電圧Ｖｃｏｍを供給する。
【０１１９】
ホスト９４０は、表示コントローラ３８に接続される。ホスト９４０は、表示コントローラ３８を制御する。またホスト９４０は、アンテナ９６０を介して受信された表示データを、変復調部９５０で復調した後、表示コントローラ３８に供給できる。表示コントローラ３８は、この表示データに基づき、データドライバ３０及びゲートドライバ３２によりＬＣＤパネル２０に表示させる。
【０１２０】
ホスト９４０は、カメラモジュール９１０で生成された表示データを変復調部９５０で変調した後、アンテナ９６０を介して他の通信装置への送信を指示できる。
【０１２１】
ホスト９４０は、操作入力部９７０からの操作情報に基づいて表示データの送受信処理、カメラモジュール９１０の撮像、ＬＣＤパネル２０の表示処理を行う。
【０１２２】
なお、本発明は上述した実施の形態に限定されるものではなく、本発明の要旨の範囲内で種々の変形実施が可能である。例えば、本発明は上述の液晶表示パネルの駆動に適用されるものに限らず、エレクトロクミネッセンス、プラズマディスプレイ装置の駆動に適用可能である。
【０１２３】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１２４】
【図１】本実施形態における液晶表示装置の構成の概要を示す図。
【図２】本実施形態における液晶表示装置の他の構成の概要を示す図。
【図３】図１のゲートドライバの構成例を示す図。
【図４】図１のデータドライバの構成例のブロック図。
【図５】図４の基準電圧発生回路、ＤＡＣ、駆動回路の構成の概要を示す図。
【図６】本実施形態における基準電圧発生回路の構成例のブロック図。
【図７】本実施形態のガンマ補正データの説明図。
【図８】図６の基準電圧選択回路の動作例の説明図。
【図９】ガンマ特性の説明図。
【図１０】本実施形態の比較例における基準電圧選択回路の構成例のブロック図。
【図１１】本実施形態における基準電圧選択回路の構成例のブロック図。
【図１２】図１２（Ａ）、図１２（Ｂ）はスイッチセルが他のスイッチセルに出力するイネーブル信号及びディセーブル信号を説明する図。
【図１３】図１１の基準電圧選択回路の動作例を示す図。
【図１４】本実施形態の基準電圧選択回路の具体的な回路構成例を示す図。
【図１５】図１４の回路図の一部の拡大図。
【図１６】図１５のスイッチセルの回路構成例を示す図。
【図１７】本実施形態における電子機器の構成例のブロック図。
【符号の説明】
【０１２５】
１０  液晶表示装置、  ２０  ＬＣＤパネル、  ３０  データドライバ、
３２  ゲートドライバ、  ３８  表示コントローラ、  ４０  シフトレジスタ、
４２  レベルシフタ、  ４４  出力バッファ、  ５０  データラッチ、
５２  ラインラッチ、  ５４  基準電圧発生回路、  ５６、５６−１  ＤＡＣ、
５７−１  反転回路、  ５８、５８−１  駆動回路、  １００  電源回路、
２００  選択用電圧発生回路、  ２１０  基準電圧選択回路、
２２０  ガンマ補正データレジスタ、  ｄｉｓ  ディセーブル信号、
ｅｎａｂｌｅ  イネーブル信号、
ＲＥＧ０  ガンマ補正データの第１のビットのデータ、
ＲＥＧ１  ガンマ補正データの第２のビットのデータ、
ＲＥＧ２  ガンマ補正データの第３のビットのデータ
ＳＣ１  第１のスイッチセル、  ＳＣ２  第２のスイッチセル、
ＳＣ３  第３のスイッチセル、  ＳＣ４  第４のスイッチセル、
ＳＷ１  第１のスイッチ素子、  ＳＷ２  第２のスイッチ素子、
ＳＷ３  第３のスイッチ素子、  ＳＷ４  第４のスイッチ素子、
Ｖ０  第１の基準電圧、  Ｖ１  第２の基準電圧、  ＶＧ０  第１の選択用電圧、
ＶＧ１  第２の選択用電圧、  ＶＧ２  第３の選択用電圧
【図１】
2006227271.tif 000003
【図２】
2006227271.tif 000004
【図３】
2006227271.tif 000005
【図４】
2006227271.tif 000006
【図５】
2006227271.tif 000007
【図６】
2006227271.tif 000008
【図７】
2006227271.tif 000009
【図８】
2006227271.tif 000010
【図９】
2006227271.tif 000011
【図１０】
2006227271.tif 000012
【図１１】
2006227271.tif 000013
【図１２】
2006227271.tif 000014
【図１３】
2006227271.tif 000015
【図１４】
2006227271.tif 000016
【図１５】
2006227271.tif 000017
【図１６】
2006227271.tif 000018
【図１７】
2006227271.tif 000019